(57)【要約】【課題】排水溝トラップは場所が狭く、洗浄しずらい汚い場所の清掃を簡単に行えるようにする。【解決手段】排水溝１のゴミ収集かご４、内蓋５を一旦取り外した後に、中蓋８で排水管６の口６ａをとじる。内蓋５、ゴミ収集かご４を再びトラップ３内に入れ、トラップ５いっぱいまで水を溜め洗剤または漂白剤を混入し、トラップ３ゴミ収集かご４内蓋５の部分についた滑りや黒ずみを除去するようにする。【選択図】図１
2007247377.tif 000002
【特許請求の範囲】
【請求項１】
排水溝のトラップに水を溜め滑り取り剤を入れて所要時間おくことを特徴とする排水溝滑り取り方法。
【請求項２】
排水溝のトラップ内に開口する排水管の口を塞いだ後、該トラップ内に水を溜めて、ゴミ収集かご、内蓋を水没させ、上記トラップ内に滑り取り剤を入れるようにする請求項１記載の滑り取り方法。
【請求項３】
滑り取り剤を、洗剤または漂白剤とする請求項１又は２記載の排水溝の滑り取り方法。
【発明の詳細な説明】
【技術分野】
【０００１】本発明は台所等の排水溝の滑り取りをする方法に関するものである。
【背景技術】
【０００２】一例として、台所の排水溝１は、図７及び図８に示す如く、流し台２の所要箇所に設けられており、その構造はトラップ３と、そのトラップ３の内側に上下に配置してあるゴミ収集かご４、及び内蓋５、トラップ３の底部に開口させてある排水管６とからなっている。７は洗剤置き場で、トラップ３内に連通させてある。排水溝はヌルヌルしていて汚く、狭いところであまり触りたくない。しかし、洗浄しないと汚れは増し黒ずみも出る・悪臭もする。流しの洗剤置き場７に通じる横溝には指も入らない。【０００３】そのため近年では図８に示すような排水溝１のゴミ収集かご４の中に、所要の大きさの薬剤を入れておき、排水溝１に水が流れることにより、薬剤が溶けて流れることでゴミ収集かご４、トラップ３、内蓋５、等の表面の滑りを取るようにしたものが提案されている。また、上記薬剤は市販されているものである（たとえば、非特許文献１参照）。【０００４】
【非特許文献】ｊｏｉｎｔｅｘ（ジョインテックス）０５ｐ７４１  ｈｔｔｐ；／／ｗｗｗ．Ｊｏｉｎｔｅｘ．Ｃｏ．Ｊｐ
【発明の開示】
【発明が解決しようとする課題】
【０００５】ところが従来の方法は、薬剤をトラップ３にあるゴミ収集かご４の中に入れるため、洗剤置き場のステンレスを腐食させる問題があった。また、完全に滑りが取れないので洗浄は不可欠である。【０００６】そこで本発明は腐食させず簡単に滑りを取る方法を提供しようとするものである。
【課題を解決するための手段】
【０００７】本発明は上記の課題を解決するために、トラップに繋がった排水管の口を塞ぎ水を溜め滑り取り剤・たとえば洗剤または漂白剤を入れ、所要時間置くようにする。
【発明の効果】
【０００８】本発明の排水溝滑り取り方法によれば、排水管の口をふさぎ、トラップに水を溜め、滑り取り剤を入れて所要時間おくことにより、トラップ・ゴミ収集かご・中蓋などの汚い部分を簡単に洗浄することができる。また、トラップに洗剤置き場が接続されている流し台においては、ステンレスを腐食させることもなくなる。また滑り取り剤を洗剤・漂白剤にすることにより消毒消臭にもなり隅々まで汚れが取れるため１度行うとしばらく汚れがつきにくくなる。
【発明を実施するための最良の形態】
【０００９】以下、本発明を実施するための最良の形態を図面を参照して説明する。
図１は本発明の実施形態として、図８に示した排水溝１に適用するようにしたもので、排水管６の口６ａを中蓋８で閉塞してトラップ３内に水を溜めるようにする。上記中蓋８は排水管６の口６ａを水漏れしないように閉塞でき、且つ取り外しが容易に行えるようにしてある。９はシールパッキンである。【００１０】図１のゴミ収集かご４、内蓋５の外側・内側、トラップ３、洗剤置き場７に付着した滑りや黒ずみを除去する場合には、ゴミ収集かご４、内蓋５を一旦取り外した後、図１の排水管６の口６ａの部分を中蓋８で閉める。次いで、内蓋５、ゴミ収集かご４を元に戻して水の流れを留めトラップ３内側の部分いっぱいの水を溜め、滑り取り剤として洗剤または漂白剤をトラップ３内の水の中に入れ、一定時間溜め置きをするようにする。これにより、溜め置きした水が接触する部分の滑りや汚れをきれいに取り除くことができ、隅々までの汚れを取ることができ消臭できる。【００１１】また、最近の流し台には洗剤置き場７が接続されている物が出ているが、その部分にも水が注入でき、手で洗浄できない部分もきれいに汚れがおとせる。したがって排水溝周りを衛生的に保つ効果が期待される。【００１２】また、溜め置きしていた水を排水するには、排水溝１のゴミ収集かご４、内蓋５を順にはずした後、中蓋８を取り除き溜め置きした水を流し、排水後は内蓋５を嵌め、ゴミ収集かご４を入れ図８のように元にもどし、通常の生活状態に戻すようにする。【００１３】図２は本発明の実施の他の形態を示すもので、図１に示す中蓋８と同様な構成としてある。中蓋８と内蓋５とを一体にしたものである。すなはち中蓋８の中央部上面と、内蓋５天井部の中央部等とを連結棒１０で連結として一体とする。【００１４】更に、内蓋５と中蓋８が排水管６の口６ａを塞ぐ位置と該口６ａの上方に外された位置とを保持できるようにするため、トラップ３側の係止部１１に係止させる係止片１２、１２ａを上下にずらして、外周面の複数箇所に設ける。【００１５】滑り取りを行う場合は、ゴミ収集かご４を取り外した後、図２に示すように、内蓋５を押し下げながら回して、中蓋８を排水管６の口６ａに嵌めるとともに、係止片１２ａをトラップ３の係止部１１に係止させるようにする。この状態でゴミ収集かご４を戻し、図１に示した場合と同様にトラップ３の内側部分に水を溜め、洗剤や漂白剤を混入し一定時間溜め置きをするようにする。これにより、溜め沖した水が接触する部分の滑りや汚れをきれいに取り除くことができ、隅々までの汚れを取ることができ消臭できる。【００１６】また、溜め置きした水を排出するときは、内蓋５を持ち上げながら回して、中蓋８を排水管６の口６ａからはずすとともに、係止片１２をトラップ３の係止部１１に係止させ流すようにする。この際、中蓋８は内蓋５を上方へ持ち上げることにより、排水管６の口６ａから簡単に外せるので中蓋８を取り外すことができ、排水管６の口６ａから排水させることができる。【００１７】次に図３は本発明の実施の他の形態を示すもので、図１で示した中蓋８に代えて排水管６に嵌入して閉塞させる弾力性のある栓部１３を備えた中蓋８ａとしたものである。トラップ３内に水を溜めて滑り取りを行うときは、中蓋８ａの栓部１３を排水管６の口６ａに嵌入して閉塞させるようにする。なお、ゴミ収集かご４、内蓋５の取り扱いは、図１の実施の形態の場合と同じである。この実施の形態によっても、図１の場合と効果は同じである。【００１８】次に図４は本発明の実施の他の形態を示すもので、図１で示した中蓋８に代えて排水管６の上端部を合成樹脂製シート材８ｂで覆い、ベルト状締付具１４で締め付けて止水するようにしたものである。この実施の形態によっても、図１の場合と効果は同じである。トラップ３内に水を溜めて滑り取りを行うときは、中蓋８ｂを排水管６の口６ａの上端部を合成樹脂製シート材８ｂで覆い、ベルト状締付具１４で締め付けて閉塞させるようにする。なお、ゴミ収集かご４、内蓋５の取り扱いは、図１の実施の形態の場合とおなじである。この実施の形態によっても、図１の場合と効果は同じである。【００１９】図５は中蓋８の変形例を示すもので、中蓋８の上部を２重にして内輪１５の部分を空洞にし、中央部分に長方形状の孔１６を設け、また孔１６の長方形の長辺の中央に長辺に対し直角に仕切り板１９を取り付ける。図６に示す工具を使って中蓋８を排水管６から取り外せるようにしたものである。すなわち、中蓋８の上面の孔１６に対応させて長方形状の係止板１７を把持部１８の先端部に取り付けた工具を用い該工具の係止板１７を孔１６から空洞内に差込んだ後、９０度回転させ、孔１６と係止板１７が十字になるようにしながら、仕切り板１９に押し当てて持ち上げる。この方法により中蓋８を手で触らず簡単にはずすことが可能になる。この蓋の仕組みは内蓋５の上部にも応用が可能である。【００２０】なお、本発明は台所排水管に適用する場合を示したが、風呂場の排水溝にも同様に使用が可能である。
【図面の簡単な説明】
【００２１】
【図１】本発明の滑り取り方法の実施の一形態の側面図である。
【図２】本発明の実施の他の形態を示す側面図である。
【図３】本発明の更に他の形態の側面図である。
【図４】本発明の更に他の形態の側面図である。
【図５】中蓋の変形例を示す平面図である。
【図６】図５を操作する工具の斜面図である。
【図７】流し台のシンクの部分の斜視図である。
【図８】排水溝のトラップの部分を示す側面図である。
【符号の説明】
【００２２】      （１）            排水溝
（２）            流し台
（３）            トラップ
（４）            ゴミ収集かご
（５）            内蓋
（６）            排水管
（６ａ）          排水管の口
（７）            洗剤置き場
（８）（８ａ）（８ｂ）  中蓋
（１０）            連結棒
（１１）            係止部
（１２）            係止片
（１２ａ）          係止片
（１３）            栓部
（１４）            締付具
（１５）            内輪
（１６）            孔
（１７）            係止板
（１８）            把持部
（１９）            仕切り板
【図１】
2007247377.tif 000003
【図２】
2007247377.tif 000004
【図３】
2007247377.tif 000005
【図４】
2007247377.tif 000006
【図５】
2007247377.tif 000007
【図６】
2007247377.tif 000008
【図７】
2007247377.tif 000009
【図８】
2007247377.tif 000010